(57)【要約】      （修正有）【課題】比較的簡単な構成により高コントラストの画像を表示可能である液晶装置を提供する。【解決手段】液晶ライトバルブ（反射型液晶装置）は、液晶パネル１５ｃと、その前段側に配置された光学補償部２８とを備えている（ｂ）。液晶パネル１５ｃは、互いに対向して配置された対向基板３１とＴＦＴアレイ基板３２とを備え、シール材３３を介して両者を貼り合わせた構成である。対向基板３１、ＴＦＴアレイ基板３２、及びシール材３３に囲まれた領域内に、液晶層３４が封入されている。光学補償部２８は、液晶パネル１５ｃや偏光板で生じる位相差を補償するものであり、例えば第１位相差板１５ａ、第２位相差板１５ｅから構成されている。【選択図】図２
2011180485.tif 000002
【特許請求の範囲】
【請求項１】
それぞれに配向膜を有する一対の基板と、
前記一対の基板間に挟持され、前記配向膜によってプレチルトを付与された液晶分子
からなる垂直配向型の液晶層と、
前記一対の基板のうち、少なくとも一方の基板に形成された反射膜と、
前記液晶層を透過する光の位相差を補償する光学補償部と、を備えた反射型液晶装置
であって、
前記光学補償部は、一軸性の屈折率異方性を保持すると共に前記一軸性の屈折率異方
性の一軸性光軸が厚さ方向に沿う第１屈折率異方性を保持すると共に、前記第１屈折率異
方性の第１光軸が前記プレチルトによる前記光の特性変化を打ち消す第１方向に傾斜した
第１位相差板、
および／または、第２屈折率異方性を保持すると共に、前記第２屈折率異方性の第２
光軸が前記特性変化を打ち消すと共に前記第１方向と異なる第２方向に傾斜した第２位相
差板を少なくとも有することを特徴とする反射型液晶装置。
【請求項２】
前記光学補償部に対して垂直に光を入射させたときに測定された位相差値を正面位相
差値Ｒｅ（０）と定義し、また、前記第２位相差板に対する法線と入射光の中心軸とのな
す入射角を変化させて位相差値を測定した際に、３０度の入射角において位相差値が大き
くなる側の位相差値に対する位相差値が小さくなる側の位相差値の比を位相差比Ｒｅ［３
０］と定義したときに、
前記光学補償部は、正面位相差値Ｒｅ（０）が５以上２１以下であり、かつ、位相差
比Ｒｅ［３０］が１．５以上３．５以下であることを特徴とする請求項１記載の反射型液
晶装置。
【請求項３】
前記光学補償部を前記基板の一面に対する法線を中心とする軸回りに回転させるか、
および／または前記法線方向に対して傾斜させる光学調整手段を更に備えたことを特徴と
する請求項１または２記載の反射型液晶装置。
【請求項４】
前記光学補償部の少なくともいずれか１面には、反射防止膜が形成されていることを
特徴とする請求項１ないし３いずれか１項記載の反射型液晶装置。
【請求項５】
前記第１蒸着膜及び前記第２蒸着膜のうち少なくとも一方は、無機材料を含んで構成
されることを特徴とする請求項１ないし４いずれか１項記載の反射型液晶装置。
【請求項６】
前記請求項１ないし５のいずれか一項記載の反射型液晶装置を備えたことを特徴とす
る電子機器。
【発明の詳細な説明】
【技術分野】
【０００１】
本発明は、反射型液晶装置およびこれを備えた電子機器に関し、詳しくは、反射型液
晶装置のコントラストを向上させる技術に関する。
【背景技術】
【０００２】
液晶装置は、例えば、電卓や電子辞書、テレビ、デジタルカメラのディスプレイ、カ
ーナビゲーションシステムのモニター、携帯電話やコンピューターのモニター、プロジェ
クターの表示素子など、様々な電子機器のディスプレイとして用いられている。
【０００３】
このような液晶装置は、液晶層の動作モードの違いによりいくつかの種類に分類する
ことができる。例えば、ＴＮ（Ｔｗｉｓｔｅｄ Ｎｅｍａｔｉｃ）‐ＬＣＤ、ＶＡ（Ｖｅ
ｒｔｉｃａｌ Ａｌｉｇｎｍｅｎｔ Ｎｅｍａｔｉｃ）‐ＬＣＤ、ＩＰＳ（Ｉｎ‐Ｐｌａｎ
ｅ Ｓｗｉｔｃｈｉｎｇ）‐ＬＣＤ、ＯＣＢ（Ｏｐｔｉｃａｌｌｙ Ｃｏｍｐｅｎｓａｔｏ
ｒｙ Ｂｅｎｄ）‐ＬＣＤなどが知られている。これら液晶装置のうち、何れの動作モー
ドの液晶装置が用いられるかは、電子機器の使用環境や必要とする性能に応じて選択され
る。
【０００４】
例えば、垂直配向膜の間にネマティック液晶を封入し、液晶層に電圧を印加しない状
態で液晶分子が略垂直配向するようにつくられる。このＶＡモードの液晶装置は、液晶層
に電圧を印加していない状態（無電圧状態）で、液晶分子が基板に対して略垂直になるた
め、ＶＡモードの液晶装置を正面視した時の黒色の表示は、液晶層を挟み込むようにクロ
スニコル配置で設けられた偏光板の特性と略一致するため、非常に高いコントラストを実
現できることが知られている。
【０００５】
こうした特徴によって、高いコントラストが要求される液晶装置では、ＶＡモードの
液晶装置が多く採用されている。しかし、このＶＡモードの液晶装置は、正面視した場合
には非常に良いコントラストが得られるが、他の液晶装置と同様に、斜め方向から観察す
る場合には、コントラストの低下や中間階調色を表示する際に明るさが逆転する階調反転
現象が起きるなど、表示特性が悪化してしまう。こうした課題を改善し、コントラストを
向上させる技術として、例えば、１／４λ波長板を用いて光学補償を行った液晶画像表示
装置が知られている（例えば、特許文献１参照）。また、光学補償を行うための位相差フ
ィルム（２軸延伸フィルム）を用いた位相差補償板も知られている（例えば、特許文献２
参照）。
【先行技術文献】
【特許文献】
【０００６】
【特許文献１】特許第３０１９８１３号公報
【特許文献２】特許第３９７２３７１号公報
【発明の開示】
【発明が解決しようとする課題】
【０００７】
しかしながら、特許文献１に開示された技術のように、１／４λ波長板を用いて光学
補償を行う場合、個々の液晶パネルごとに位相差に大きなバラつきが存在するため、補償
すべき残留位相差も個々の液晶パネルごと異なってくる。このため、残留位相差を補償す
るための調整に手間がかかるという課題があった。しかも、こうした１／４λ波長板を用
いて残留位相差の補償量の調整を行う際には、１／４λ波長板の調整時の回転角度に対す
る位相差の変化量が大きいため、調整自体が困難であるという課題もあった。
【０００８】
一方、特許文献２に開示された技術のように、位相差補償板として２軸延伸フィルム
等の位相差フィルムを用いた場合、補償量を大きく取れないため、光学補償の効果が低い
という課題があった。
【０００９】
本発明は、上述した問題点に鑑みなされたものであり、比較的簡単な構成により高コ
ントラストの画像を表示可能である反射型液晶装置を提供することを目的とする。
【００１０】
また、本発明は、比較的簡単な構成により高コントラストの画像を表示可能な電子機
器を提供することを目的とする。
【課題を解決するための手段】
【００１１】
上記課題を解決するために、本発明のいくつかの態様は次のような反射型液晶装置を
提供した。
すなわち、本発明の反射型液晶装置は、それぞれに配向膜を有する一対の基板と、前
記一対の基板間に挟持され、前記配向膜によってプレチルトを付与された液晶分子からな
る垂直配向型の液晶層と、前記一対の基板のうち、少なくとも一方の基板に形成された反
射膜と、前記液晶層を透過する光の位相差を補償する光学補償部と、を備えた反射型液晶
装置であって、
前記光学補償部は、一軸性の屈折率異方性を保持すると共に前記一軸性の屈折率異方
性の一軸性光軸が厚さ方向に沿う第１屈折率異方性を保持すると共に、前記第１屈折率異
方性の第１光軸が前記プレチルトによる前記光の特性変化を打ち消す第１方向に傾斜した
第１位相差板、および／または、第２屈折率異方性を保持すると共に、前記第２屈折率異
方性の第２光軸が前記特性変化を打ち消すと共に前記第１方向と異なる第２方向に傾斜し
た第２位相差板を少なくとも有することを特徴とする。
【００１２】
本発明の反射型液晶装置によれば、光学補償部を構成する第１位相差板や第２位相差
板によって、液晶層を挟む基板の一方に反射膜を備えた反射型液晶装置の液晶において生
じる位相差（言い換えれば、複屈折効果）を打ち消す（即ち、補償する）ことができる。
この結果、反射型液晶装置の動作時に、光源から出射された光が例えばプレチルトの角度
だけ傾斜した液晶分子から構成された液晶を通過することで発生する光の位相差を、第１
または第２位相差板によって補償することができる。従って、液晶パネルを通過した光が
出射側の偏光板に対し、位相がずれた状態で入射するのを防止することができる。この結
果、例えば出射側において、本来通過させないはずの光が漏れる可能性は小さくなり、コ
ントラストの低下や視野角の縮小を防止することができる。
【００１３】
前記光学補償部に対して垂直に光を入射させたときに測定された位相差値を正面位相
差値Ｒｅ（０）と定義し、また、前記第２位相差板に対する法線と入射光の中心軸とのな
す入射角を変化させて位相差値を測定した際に、３０度の入射角において位相差値が大き
くなる側の位相差値に対する位相差値が小さくなる側の位相差値の比を位相差比Ｒｅ［３
０］と定義したときに、
前記光学補償部は、正面位相差値Ｒｅ（０）が５以上２１以下であり、かつ、位相差
比Ｒｅ［３０］が１．５以上３．５以下であることが好ましい。
【００１４】
光学補償部のを正面位相差値Ｒｅ（０）や位相差比Ｒｅ［３０］をこのような範囲に
限定することによって、反射型液晶装置の出射光、即ち画像のコントラストを高めること
が可能になり、例えば、プロジェクターに適用すれば、鮮明で高精細な画像を映し出すこ
とが可能になる。
【００１５】
前記光学補償部を前記基板の一面に対する法線を中心とする軸回りに回転させるか、
および／または前記法線方向に対して傾斜させる光学調整手段を更に備えることが好まし
い。
これによって、出射光のコントラストを容易に、かつ連続的に変化させ、最適な状態
に調整することが可能になる。
【００１６】
前記光学補償部の少なくともいずれか１面には、反射防止膜が形成されていることが
好ましい。
これによって、例えば液晶パネルの前段に形成されている光学補償部に入射光が入射
する際に、光学補償部の表面で入射光の一部が反射されて光量が低下したり、迷光が生じ
ることを防止できる。
【００１７】
前記第１蒸着膜及び前記第２蒸着膜のうち少なくとも一方は、無機材料を含んで構成
されることが好ましい。これによって、これにより、光の照射やそれに伴う温度上昇によ
り第１位相差板や第２位相差板が劣化するのを効果的に防止でき、信頼性に優れた反射型
液晶装置を構成することができる。
【００１８】
本発明の電子機器は、前記各項記載の反射型液晶装置を備えたことを特徴とする。
このような電子機器によれば、反射型液晶装置によって出射された出射光、即ち画像
のコントラストを高めることが可能になる。特に、プロジェクターの液晶ライトバルブと
してこの反射型液晶装置を用いれば、高コントラストで鮮明な画像を得ることができる。
また、コントラストの調整も容易に行うことが可能になる。
【図面の簡単な説明】
【００１９】
【図１】本発明の反射型液晶装置を備えた電子機器の一実施形態であるプロジェクターを示す概略構成図である。
【図２】本実施形態に係る液晶パネルの全体構成図（図２（ａ））及び、当該図２（ａ）のＨ−Ｈ’線に沿う断面構成図（図２（ｂ））である。
【図３】本実施形態に係る液晶装置の構成を示す説明図である。
【図４】本実施形態に係る図３における各構成部材の光学軸配置を示す図である。
【図５】本実施形態に係る第１位相差板を構成する屈折率異方性媒質と、第１位相差板に対応される基板との相対的な位置関係を規定する蒸着方向等を図式的に示した外観斜視図（図５（ａ））、第２位相差板を構成する屈折率異方性媒質と、第２位相差板に対応される基板との相対的な位置関係を規定する蒸着方向等を図式的に示した外観斜視図（図５（ｂ））並びに第１位相差板を構成する屈折率異方性媒質と第２位相差板を構成する屈折率異方性媒質とを合成した屈折率異方性媒質と基板との相対的な位置関係を図式的に示した外観斜視図（図５（ｃ））である。
【図６】本実施形態に係る第１及び第２位相差板を構成する屈折率異方性媒質の光軸と、液晶パネルを構成する液晶分子の光軸との相対的な位置関係を図式的に示した平面図（図６（ａ））及び立面図（図６（ｂ））である。
【図７】本実施形態に係る第１位相差板を構成する屈折率異方性媒質と第２位相差板を構成する屈折率異方性媒質とを合成した屈折率異方性媒質の光学的異方性と、液晶パネルを構成する液晶分子の光学的異方性とが合成されて、光学的等方性が実現される様子を概念的に示した模式図である。
【図８】光学補償部の蒸着部分を示す要部拡大断面図である。
【図９】正面位相差とコントラストとの関係を示すグラフである。
【図１０】正面位相差と回転調整角との関係を示すグラフである。
【図１１】回転調整角とコントラストとの関係を示すグラフ、表である。
【発明を実施するための形態】
【００２０】
以下、図面を参照して、本発明に係る反射型液晶装置の一実施形態について説明する
。なお、本実施形態は、発明の趣旨をより良く理解させるために具体的に説明するもので
あり、特に指定のない限り、本発明を限定するものではない。また、以下の説明で用いる
図面は、本発明の特徴をわかりやすくするために、便宜上、要部となる部分を拡大して示
している場合があり、各構成要素の寸法比率などが実際と同じであるとは限らない。
【００２１】
図１は、本発明の反射型液晶装置を備えた電子機器の一例である反射型の液晶プロジ
ェクターの概要を示す構成図である。
プロジェクター（電子機器）１０は、前方に設けられたスクリーン１１に映像を投射
する前方投影型のプロジェクタである。プロジェクター１０は、光源１２と、ダイクロイ
ックミラー１３、１４と、本発明の反射型液晶装置を構成する液晶ライトバルブ（反射型
液晶装置）１５〜１７と、偏光板１８ａ〜１８ｄと、クロスダイクロイックプリズム１９
と、偏光ビームスプリッター２０ａ〜２０ｃとを備えている。
【００２２】
光源１２は、例えば、赤色光、緑色光及び青色光を含む光を供給する超高圧水銀ラン
プで構成されている。ダイクロイックミラー１３は、光源１２からの赤色光ＬＲを透過さ
せるとともに緑色光ＬＧ及び青色光ＬＢを反射する構成となっている。また、ダイクロイ
ックミラー１４は、ダイクロイックミラー１３で反射された緑色光ＬＧ及び青色光ＬＢの
うち青色光ＬＢを透過させるとともに緑色光ＬＧを反射する構成となっている。
【００２３】
このように、ダイクロイックミラー１３、１４は、光源１２から射出された光を赤色
光ＬＲと緑色光ＬＧと青色光ＬＢとに分離する色分離光学系を構成する。ダイクロイック
ミラー１３と光源１２との間には、インテグレータ２１及び偏光変換素子２２が光源１２
から順に配置されている。インテグレータ２１は、光源１２から照射された光の照度分布
を均一化する。偏光変換素子２２は、光源１２からの光を例えばｓ偏光のような特定の振
動方向を有する偏光に変換する。
【００２４】
液晶ライトバルブ（反射型液晶装置）１５は、ダイクロイックミラー１３を透過して
反射ミラー２３で反射し、更に偏光板１８ａやコンデンサレンズ２６ａを介して偏光ビー
ムスプリッター２０ａで反射された赤色光ＬＲを画像信号に応じて変調する反射型液晶装
置（電気光学装置）である。この液晶ライトバルブ１５は、液晶パネル１５ｃ、およびそ
の前段側に配された光学補償部２８とを備えている。
【００２５】
液晶ライトバルブ１５に入射した赤色光ＬＲは、画像信号に応じた変調によって偏光
されるとともに、液晶パネル１５ｃの内部で反射され、液晶ライトバルブ１５からクロス
ダイクロイックプリズム１９に向けて出射される。
【００２６】
液晶ライトバルブ（反射型液晶装置）１６は、ダイクロイックミラー１３で反射した
後に偏光板１８ｂを経てダイクロイックミラー１４で反射させ、更にコンデンサレンズ２
６ｂから偏光ビームスプリッター２０ｂを介して入射させた緑色光ＬＧを、画像信号に応
じて緑色光ＬＧを変調させる反射型液晶装置である。この液晶ライトバルブ１６は、液晶
パネル１６ｃ、およびその前段側に配された光学補償部２８とを備えている。
【００２７】
液晶ライトバルブ１６に入射した緑色光ＬＧは、画像信号に応じた変調によって偏光
されるとともに、液晶パネル１６ｃの内部で反射され、液晶ライトバルブ１５からクロス
ダイクロイックプリズム１９に向けて出射される。
【００２８】
液晶ライトバルブ（反射型液晶装置）１７は、ダイクロイックミラー１３で反射し、
偏光板１８ｂを経てダイクロイックミラー１４を透過した後、更にコンデンサレンズ２６
ｃから偏光ビームスプリッター２０ｃを介して入射させた青色光ＬＢをクロスダイクロイ
ックプリズム１９に向けて射出する反射型液晶装置である。液晶ライトバルブ１７は、液
晶ライトバルブ１５、１６と同様に、液晶パネル１７ｃ、およびその前段側に配された光
学補償部２８とを備えている。
【００２９】
クロスダイクロイックプリズム１９は、２つのダイクロイック膜１９ａ、１９ｂをＸ
字型に直交配置した色合成光学系である。ダイクロイック膜１９ａは青色光ＬＢを反射し
て緑色光ＬＧを透過する。ダイクロイック膜１９ｂは赤色光ＬＲを反射して緑色光ＬＧを
透過する。したがって、クロスダイクロイックプリズム１９は、液晶ライトバルブ（反射
型液晶装置）１５〜１７のそれぞれで変調された赤色光ＬＲと緑色光ＬＧと青色光ＬＢと
を合成し、偏光板１８ｄを経て投射光学系２９に向けて射出するように構成されている。
【００３０】
投射光学系２９は、投影レンズ（図示略）を有しており、クロスダイクロイックプリ
ズム１９で合成された光を偏光板１８ｄを介してスクリーン１１に拡大投射するように構
成されている。
【００３１】
なお、ここで示した実施形態では、偏光ビームスプリッター２０ａ〜２０ｃとして、
ＰＢＳ膜に対して４５度で入射する光がＳ−ｐｏｌ（反射面に平行な偏光）の場合は反射
し、Ｐ−ｐｏｌ（反射面に交差する偏光）の場合は透過する特性を持つＢｌｏｃｋ−ＰＢ
Ｓを用いている。即ち、光源光は反射、画像光は透過となっている。
しかし、これ以外にも、例えば、ＷｉｒｅＧｒｉｄ−ＰＢＳを用いることも好ましい
。このＷｉｒｅＧｒｉｄ−ＰＢＳは、例えばガラス基板にアルミのリブを線幅数十ｎｍ，
ピッチ数百ｎｍで形成したものであり、光源光は透過、画像光は反射となる。
【００３２】
次に、プロジェクターを構成する液晶ライトバルブを成す反射型液晶装置について詳
述する。なお、上述した液晶ライトバルブ（反射型液晶装置）１５〜１７は、いずれも同
様の構成であるので、そのうちの１つ（液晶ライトバルブ１５）について説明する。
図２は、本実施形態に係る反射型液晶装置の液晶パネル部分の構成図（図２（ａ））
及び、この図２（ａ）のＨ−Ｈ’線に沿う断面構成図（図２（ｂ））である。また、図３
は、本実施形態に係る液晶装置の構成を示す説明図である。図４は、図３における各構成
部材の光学軸配置を示す図である。なお、反射型液晶装置のため、光源光は入射から出射
までに液晶ライトバルブを構成する光学補償部から液晶パネルの間を一往復する光路とな
るので、図３、図４においては、光路の往路と復路を分けて並列させて表現している。
【００３３】
液晶ライトバルブ（反射型液晶装置）１５は、液晶パネル１５ｃと、その前段側に配
置された光学補償部２８とを備えている図２（ｂ）参照。液晶パネル１５ｃは、互いに対
向して配置された対向基板３１とＴＦＴアレイ基板３２とを備え、シール材３３を介して
両者を貼り合わせた構成である。対向基板３１、ＴＦＴアレイ基板３２、及びシール材３
３に囲まれた領域内に、液晶層３４が封入されている。液晶層３４は、負の誘電率異方性
を有する液晶からなり、本実施形態の液晶パネル１５ｃでは、図３に示すように、液晶分
子５１が配向膜４３、９８の間で所定の傾き（プレチルト角）を有して垂直配向した構成
である。
【００３４】
液晶パネル１５ｃは、ＴＦＴアレイ基板３２、対向基板３１及びシール材３３で区画
された領域に封止された液晶層３４を有している。液晶パネル１５ｃのうちシール材３３
の形成領域の内側には、額縁或いは周辺見切りとなる遮光膜３５が形成されている。シー
ル材３３の外周側の角部には、ＴＦＴアレイ基板３２と対向基板３１との電気的導通をと
るための基板間導通材５７が配設されている。
【００３５】
ＴＦＴアレイ基板３２のうち平面視でシール材３３の形成領域の外側となる領域に、
データ線駆動回路７１及び外部回路実装端子７５と、２個の走査線駆動回路７３とが形成
されている。さらに、ＴＦＴアレイ基板３２の上記領域には、上記画像表示領域の両側に
設けられた走査線駆動回路７３の間を接続するための複数の配線７４も形成されている。
データ線駆動回路７１及び走査線駆動回路７３をＴＦＴアレイ基板３２上に形成する代わ
りに、例えば、駆動用ＬＳＩが実装されたＴＡＢ（TapeAutomatedBonding）基板とＴＦＴ
アレイ基板３２の周辺部に形成された端子群とを異方性導電膜を介して電気的及び機械的
に接続してもよい。
【００３６】
対向基板３１は液晶パネル１５ｃのカバーガラスを構成し、例えば、ガラス等からな
る透明基板であり、石英やホウ珪酸ガラス、ソーダライムガラス（青板ガラス）、クラウ
ンガラス（白板ガラス）等からなる基板を用いることもできる。なお、こうした対向基板
３１には、更に、複数の凹部（マイクロレンズ）によってなるマイクロレンズアレイが形
成されていることも好ましい。こうしたマイクロレンズアレイは、液晶層３４に入射する
光を集光する。
【００３７】
対向基板３１の液晶層３４側の面には、遮光膜３５と、共通電極９７と、配向膜９８
とが形成されている。遮光膜３５は平面視略格子状を成して対向基板３１上に形成されて
いる。配向膜９８は液晶層３４を構成する液晶分子を基板面に対して略垂直に配向させる
垂直配向膜であり、例えば、斜方蒸着により柱状構造を有して形成されたシリコン酸化物
膜や、配向処理を施されたポリイミド膜等からなるものである。
【００３８】
ＴＦＴアレイ基板３２は、ガラスや石英等からなる透明の基板４１と、基板４１の液
晶層３４側面に形成された画素電極４２と、画素電極を駆動するＴＦＴ４４と、配向膜４
３とを主体として構成されている。画素電極４２は、例えばＩＴＯ等の透明導電材料から
なる平面視略矩形状の導電膜であり、図２（ａ）に示すように、基板４１上に平面視マト
リクス状に配列されている。
【００３９】
ＴＦＴ４４は、図示を簡略化しているが、画素電極４２の各々に対応して基板４１上
に形成されており、通常は平面視で対向基板３１側の遮光膜３５と重なる領域（非表示領
域、遮光領域）に配置されている。画素電極４２を覆って形成された配向膜４３は、先の
配向膜９８と同様に、斜方蒸着により形成されたシリコン酸化物膜等からなる垂直配向膜
である。
【００４０】
配向膜４３、９８は、互いの配向方向（柱状構造物の配向方向）が平面視でほぼ平行
になるように形成されており、液晶層３４を構成する液晶分子を基板面に対して所定の傾
きを有してほぼ垂直に配向させるとともに、液晶分子の傾き方向を基板面方向で一様なも
のとするべく機能する。
【００４１】
ＴＦＴアレイ基板３２を成す基板４１の液晶層３４側の面には、反射膜５３が形成さ
れている。この反射膜５３は、例えば、表面に微細な凹凸が形成された金属膜であればよ
い。こうした反射膜５３は、液晶層３４から出射された光を再び液晶層３４に向けて反射
させる。即ち、光学補償部２８を経て対向基板３１から液晶パネル１５ｃに入射した光源
光（赤色光ＬＲ）は、液晶層３４を透過してこの反射膜５３で反射され、再び液晶層３４
を透過した後、光学補償部２８から画像光として出射される。
【００４２】
なお、基板４１の液晶層３４側の表面のうち平面視でシール材３３の形成領域の内側
となる領域には、画素電極４２やＴＦＴ４４を接続するデータ線（図示略）や走査線（図
示略）が形成されている。データ線及び走査線は、平面視で遮光膜３５と重なる領域に形
成されている。そして、遮光膜３５やＴＦＴ４４、データ線、走査線によって縁取られた
領域が液晶パネル１５ｃの画素領域とされる。そして、複数の画素領域が平面視マトリク
ス状に配列されて画像表示領域を構成している。
【００４３】
光学補償部２８は、液晶パネル１５ｃや偏光板１８ａ，１８ｄで生じる位相差を補償
するものであり、例えば第１位相差板１５ａ、第２位相差板１５ｅから構成されている。
また第１位相差板１５ａの一面側（入出射面）には、更に反射防止膜１５ｂが形成されて
いる。反射防止膜１５ｂは、光学補償部２８に入射する光の表面反射を抑制するものであ
り、例えば、誘電体多層膜等から形成されていれば良い。
【００４４】
なお、光学補償部２８は、第１位相差板１５ａや第２位相差板１５ｅを任意に組み合
わせて構成されれば良く、また、第２位相差板１５ｅ単独や、複数の第２位相差板１５ｅ
どうしを組み合わせて構成しても良い。
【００４５】
図３に示すように、液晶パネル１５ｃにおいて、液晶層３４を挟持して対向する配向
膜４３，９８は、例えば基板法線方向から５０°程度ずれた斜め方向からシリコン酸化物
を蒸着して形成されている。膜厚はいずれも４０ｎｍ程度である。配向膜４３，９８に付
した矢印により表される配向方向４３ａ、９８ａは、形成時の蒸着方向のうち基板面内の
方向に一致している。配向膜４３における配向方向４３ａと配向膜９８における配向方向
９８ａとは互いに平行である。
【００４６】
そして、配向膜４３，９８の配向規制力により、液晶分子５１は、例えば、基板法線
から２°〜８°程度傾いた状態で配向するとともに、液晶分子５１のダイレクタの方向（
プレチルト方向Ｐ）が基板面方向で配向方向４３ａ、９８ａに沿った方向となるように配
向している。
【００４７】
光学補償部２８を構成する第１位相差板１５ａは、第１基板１５０１ａと、一軸性の
屈折率異方性を保持する屈折率異方性媒質２５５ｃが垂直蒸着された垂直蒸着膜１５０１
ｃと、第１屈折率異方性を保持する屈折率異方性媒質が斜方蒸着された第１蒸着膜１５０
３ａと、第３基板１５０２ａとを備えて構成されている。
【００４８】
図３の第１位相差板１５ａの第１蒸着膜１５０３ａの側方には、この屈折率異方性媒
質２５５ａの屈折率楕円体における光軸方向の主屈折率が示されている。本実施形態では
、主屈折率ｎｘ’、ｎｙ’、ｎｚ’は、ｎｘ’＞ｎｙ’＞ｎｚ’なる関係を満たす構成と
されている。すなわち、基板１５０１ａ又は基板１５０２ａの法線方向から傾いた方向の
屈折率ｎｘ’が他の方向の屈折率ｎｙ’、ｎｚ’より大きく、屈折率楕円体では米粒型と
なる。
【００４９】
図３の第１位相差板１５ａの垂直蒸着膜１５０１ｃの側方に、垂直蒸着膜１５０１ｃ
の屈折率異方性媒質２５５ｃの平均的な屈折率楕円体を模式的に示している。この図３に
おいて、ｎｘｃ’、ｎｙｃ’はそれぞれ垂直蒸着膜１５０１ｃの面方向の主屈折率を示し
ており、ｎｚｃ’は垂直蒸着膜１５０１ｃの厚さ方向の主屈折率を示している。本実施形
態では、主屈折率ｎｘｃ’、ｎｙｃ’、ｎｚｃ’は、ｎｘｃ’＝ｎｙｃ’＞ｎｚｃ’なる
関係を満たす構成とされている。すなわち、厚さ方向の屈折率ｎｚｃ’が他の方向の屈折
率より小さく、屈折率楕円体では円盤型となる。この屈折率異方性媒質２５５ｃの屈折率
楕円体は、垂直蒸着膜１５０１ｃの板面に対して平行に配向されており、垂直蒸着膜１５
０１ｃの光軸方向（屈折率楕円体の短軸方向）は板面法線方向と平行である。
【００５０】
第２位相差板１５ｅは、第２基板１５０１ｅと、屈折率異方性を保持する屈折率異方
性媒質２５５ｅが斜方蒸着された第２蒸着膜１５０３ｅと、第４基板１５０２ｅとを備え
て構成されている。図３の第２位相差板１５ｅの側方には、この屈折率異方性媒質２５５
ｅの屈折率楕円体における光軸方向の主屈折率が示されている。本実施形態では、主屈折
率ｎｘ’’、ｎｙ’’、ｎｚ’’は、ｎｘ’’＞ｎｙ’’＞ｎｚ’’なる関係を満たす構
成とされている。すなわち、第２基板１５０１ｅ又は第４基板１５０２ｅの法線方向から
傾いた方向の屈折率ｎｘ’’が他の方向の屈折率ｎｙ’’、ｎｚ’’より大きく、屈折率
楕円体では米粒型となる。
【００５１】
特に、第２位相差板１５ｅ（又は第１位相差板１５ａ）の法線方向から見て、第２位
相差板１５ｅの主屈折率ｎｘ’’の光軸が傾斜する方向と、上述した第１位相差板１５ａ
の主屈折率ｎｘ’の光軸が傾斜する方向とは直交することが好ましい。なお、これら第１
位相差板１５ａ及び第２位相差板１５ｅの詳細については後述する。
【００５２】
具体的には、これら屈折率異方性媒質２５５ａ（又は屈折率異方性媒質２５５ｅ）の
典型例として、二軸プレートを挙げることができる。
【００５３】
ここで、図５〜図７を参照して、本実施形態に係る第１及び第２位相差板の詳細な構
成について説明する。図５は、本実施形態に係る第１位相差板を構成する屈折率異方性媒
質と、第１位相差板に対応される基板との相対的な位置関係を規定する蒸着方向及び蒸着
角度を図式的に示した外観斜視図（図５（ａ））、第２位相差板を構成する屈折率異方性
媒質と、第２位相差板に対応される基板との相対的な位置関係を規定する蒸着方向及び蒸
着角度を図式的に示した外観斜視図（図５（ｂ））並びに第１位相差板を構成する屈折率
異方性媒質と第２位相差板を構成する屈折率異方性媒質とを合成した屈折率異方性媒質と
基板との相対的な位置関係を図式的に示した外観斜視図（図５（ｃ））である。図６は、
本実施形態に係る第１及び第２位相差板を構成する屈折率異方性媒質の光軸と、液晶パネ
ルを構成する液晶分子の光軸との相対的な位置関係を図式的に示した平面図（図６（ａ）
）及び立面図（図６（ｂ））である。図７は、本実施形態に係る第１位相差板を構成する
屈折率異方性媒質と第２位相差板を構成する屈折率異方性媒質とを合成した屈折率異方性
媒質の光学的異方性と、液晶パネルを構成する液晶分子の光学的異方性とが合成されて、
光学的等方性が実現される様子を概念的に示した模式図である。
【００５４】
図５（ａ）に示されるように、第１位相差板１５ａを構成する垂直蒸着膜１５０１ｃ
においては、屈折率異方性媒質２５５ｃは、上述したように第１基板１５０１ａに垂直蒸
着されている。具体的には、上述したように、垂直蒸着膜１５０１ｃの主屈折率ｎｘｃ’
、ｎｙｃ’、ｎｚｃ’は、ｎｘｃ’＝ｎｙｃ’＞ｎｚｃ’なる関係を満たす構成とされて
いる。
【００５５】
また、第１位相差板１５ａを構成する屈折率異方性媒質２５５ａは、第１蒸着膜１５
０３ａとして、第１所定方向、即ち、第１蒸着方向に沿って第１基板１５０１ａに斜方蒸
着されている。本実施形態に係る第１蒸着方向は、３時と９時とを結ぶ方向である。これ
により、屈折率異方性媒質２５５ａの主屈折率ｎｘ’は、３時と９時とを結ぶ方向に沿っ
て延びている。なお、本実施形態における方向は、時計の短針の方向によって表現する。
具体的には、１時３０分の方向とは、図５（ａ）の第１基板又は第２基板の平面に置いた
時計が１時３０分を示す場合における短針の方向を示す。
【００５６】
更に、屈折率異方性媒質２５５ａは、屈折率異方性媒質２５５ａの主屈折率ｎｘ’に
対応される光軸が、第１基板１５０１ａの平面方向と第１所定角度、即ち、第１蒸着角度
を有するように斜方蒸着されている。この第１蒸着角度は、基板１５０１ａの法線と屈折
率異方性媒質２５５ａの主屈折率ｎｘ’に対応される光軸と間の角度を、９０度から差し
引いた値と言い換えることができる。或いは、この第１蒸着角度は、屈折率異方性媒質２
５５ａの主屈折率ｎｘ’に対応される光軸と、第１蒸着方向と間の角度と言い換えること
ができる。
【００５７】
図５（ｂ）に示されるように、第２位相差板１５ｅを構成する屈折率異方性媒質２５
５ｅは、第２蒸着膜１５０３ｅとして、第２所定方向、即ち、第２蒸着方向に沿って基板
１５０１ｅに斜方蒸着されている。本実施形態に係る第２蒸着方向は、０時と６時とを結
ぶ方向である。これにより、屈折率異方性媒質２５５ｅの主屈折率ｎｘ’’は、０時と６
時とを結ぶ方向に沿って延びている。
【００５８】
更に、屈折率異方性媒質２５５ｅは、屈折率異方性媒質２５５ｅの主屈折率ｎｘ’’
に対応される光軸が、第２基板１５０１ｅの平面方向と第２所定角度、即ち、第２蒸着角
度を有するように斜方蒸着されている。この第２蒸着角度は、第１基板１５０１ｅの法線
と屈折率異方性媒質２５５ｅの主屈折率ｎｘ’’に対応される光軸と間の角度を、９０度
から差し引いた値と言い換えることができる。或いは、この第２蒸着角度は、屈折率異方
性媒質２５５ｅの主屈折率ｎｘ’’に対応される光軸と、第２蒸着方向と間の角度と言い
換えることができる。
【００５９】
図５（ｃ）に示されるように、第１位相差板１５ａを構成する屈折率異方性媒質と第
２位相差板１５ｅを構成する屈折率異方性媒質とを合成した屈折率異方性媒質２５５ａｅ
の主屈折率ｎｘ’’’は、４時３０分と１０時３０分とを結ぶ方向に沿って延びている。
何故ならば、上述した３時と９時とを結ぶ方向に沿って延びている屈折率異方性媒質２５
５ａの主屈折率ｎｘ’と、上述した０時と６時とを結ぶ方向に沿って延びている屈折率異
方性媒質２５５ｅの主屈折率ｎｘ’’とが合成されるからである。
【００６０】
更に、第１位相差板１５ａを構成する垂直蒸着膜１５０１ｃによって形成される屈折
率異方性媒質２５５ｃの一軸性の光軸が延びる方向、即ち、主屈折率ｎｚｃ’の方向は、
第１基板１５０１ａ又は第１基板１５０１ａの平面の法線方向である。
【００６１】
詳しくは、液晶パネル１５ｃに封入される液晶分子５１と、第１位相差板１５ａを構
成する屈折率異方性媒質２５５ａと、第２位相差板１５ｅを構成する屈折率異方性媒質２
５５ｅとの相対的な位置関係に着目すると、図６（ａ）に示されるように、第１基板１５
０１ａ（又は第２基板１５０１ｅ）の法線方向から平面的に見て、第１位相差板１５ａの
基板１５０１ａに斜方蒸着された屈折率異方性媒質２５５ａの主屈折率ｎｘ’の光軸が延
びる方向と、プレチルトが付与された液晶分子の長軸方向とは、例えば４５度付近の角度
で交わる位置関係にある。
【００６２】
また、第２基板１５０１ｅ（又は第１基板１５０１ａ）の法線方向から平面的に見て
、第２位相差板１５ｅの基板１５０１ｅに斜方蒸着された屈折率異方性媒質２５５ｅの主
屈折率ｎｘ’’の光軸が延びる方向と、プレチルトが付与された液晶分子の長軸方向とは
例えば４５度付近の角度で交わる位置関係にある。
【００６３】
なお、図６（ａ）において、プレチルトが付与された液晶分子の長軸方向は、所謂、
明視方向の１時３０分の方向である。また、液晶分子の長軸方向は、液晶分子の長軸の２
つの頂点のうち光が入射される側に近い方の軸の頂点が向いている方向を意味する。
【００６４】
図６（ｂ）に示されるように、第１基板１５０１ａの垂直平面方向から立面的に見て
、屈折率異方性媒質２５５ａの主屈折率ｎｘ’の光軸が、第１基板１５０１ａの平面と第
１所定角度、即ち、第１蒸着角度（不図示）で交わる。加えて、第２基板１５０１ｅの垂
直平面方向から立面的に見て、屈折率異方性媒質２５５ｅの主屈折率ｎｘ’’の光軸が、
第２基板１５０１ｅの平面と第２所定角度、即ち、第２蒸着角度（図示）で交わる。
【００６５】
即ち、屈折率異方性媒質２５５ａの主屈折率ｎｘ’の光軸と、屈折率異方性媒質２５
５ｅの主屈折率ｎｘ’’の光軸とは、ねじれの位置関係にあってよい。或いは、屈折率異
方性媒質２５５ａの主屈折率ｎｘ’の光軸と、液晶分子の長軸方向とは、ねじれの位置関
係にあってよい。或いは、屈折率異方性媒質２５５ｅの主屈折率ｎｘ’’の光軸とは、液
晶分子の長軸方向とは、ねじれの位置関係にあってよい。尚、これらの第１蒸着角度又は
第２蒸着角度は、９０度から液晶分子のプレチルトの角度を差し引いた角度よりも小さく
なってよい。
【００６６】
これにより、第１位相差板１５ａの光軸、即ち、屈折率異方性媒質２５５ａの主屈折
率ｎｘ’の光軸が延びる方向が、プレチルトの角度だけ傾斜した液晶分子５１の長軸方向
に交わるので、第１基板１５０１ａの平面方向及び垂直平面方向において、第１位相差板
１５ａの光軸が液晶分子５１の光学的な異方性を光学的な等方性へ向かうように補償する
。
【００６７】
また、第２位相差板１５ｅの光軸、即ち、屈折率異方性媒質２５５ｅの主屈折率ｎｘ
’’の光軸が延びる方向が、プレチルトの角度だけ傾斜した液晶分子５１の長軸方向に交
わるので、第２基板１５０１ｅの平面方向及び垂直平面方向において、第２位相差板１５
ｅの光軸が液晶分子５１の光学的な異方性を光学的な等方性へ向かうように補償する。
【００６８】
より具体的には、図７に示されるように、液晶分子５１によって形成される屈折率楕
円体の長軸と、第１位相差板１５ａを構成する屈折率異方性媒質と第２位相差板１５ｅを
構成する屈折率異方性媒質とを合成した屈折率異方性媒質２５５ａｅによって形成される
屈折率楕円体の長軸とが交わるので、液晶分子と、第１及び第２位相差板とによって形成
される屈折率楕円体を三次元的に屈折率球体へ近づけることができる。
【００６９】
なお、第１位相差板１５ａを構成する屈折率異方性媒質と第２位相差板１５ｅを構成
する屈折率異方性媒質とを合成した屈折率異方性媒質２５５ａｅによって、所謂、Ｏプレ
ートが近似的に実現されていることを付記しておく。ここで言うＯプレート（２軸性複屈
折体）は、２軸性の複屈折体であり、第２位相差板１５ｅはＯプレートを含むものである
。
【００７０】
また、上述した第１位相差板１５ａを構成する垂直蒸着膜１５０１ｃの一軸性の光軸
（即ち、本発明に係る一軸性光軸の一具体例）、言い換えると、屈折率異方性媒質２５５
ｃの主屈折率ｎｘｃ’（又は主屈折率ｎｙｃ’）の光軸が延びる方向、即ち、垂直蒸着膜
１５０１ｃの平面方向が、プレチルトの角度だけ傾斜した液晶分子５１の長軸方向に交わ
る。これにより、液晶分子５１と、垂直蒸着膜１５０１ｃと、第１蒸着膜１５０３ａと、
第２蒸着膜１５０３ｅとの四者によって形成される屈折率楕円体を三次元的に屈折率球体
へ近づけることができる。
【００７１】
従って、第１位相差板１５ａ及び第２位相差板１５ｅによって液晶において生じる位
相差（言い換えれば、複屈折効果）を打ち消す（即ち、補償する）ことができる。この結
果、液晶装置の動作時に、光源から出射された光が例えばプレチルト角だけ傾斜した液晶
分子から構成された液晶を通過することで発生する光の位相差を、第１位相差板１５ａ及
び第２位相差板１５ｅによって補償することができる。
【００７２】
よって、反射膜５３によって液晶パネル１５ｃを往復した光（画像光）が、位相がず
れた状態で出射されるのを防止することができる。この結果、光学補償部２８を透過して
出射された光は、本来通過させないはずの光が漏れる可能性が小さくなり、コントラスト
の低下や視野角の縮小を防止することができる。
【００７３】
ここで、例えば液晶ライトバルブ（反射型液晶装置）１５において、これらの第１位
相差板１５ａ及び第２位相差板１５ｅが備えられない場合、液晶パネル１５ｃに封入され
た液晶層３４は、光学的に正の一軸性を示すもので、液晶分子５１のダイレクタ方向の屈
折率が他の方向の屈折率より大きくなっている。すなわち液晶層３４は、上述した図３に
平均的な屈折率楕円体２５０ａを示すように、ラグビーボール型の屈折率楕円体を有する
ものとなっている。ここで、液晶層３４の液晶分子５１はプレチルト方向Ｐに沿って斜め
に配向しており、黒表示の際に残留位相差を生じ、また斜め方向から観察したときの楕円
形状が異なるために視角依存の位相差を有する。この位相差が黒表示における光漏れの原
因となり、液晶パネルのコントラスト比を低下させることになる。
【００７４】
第１位相差板１５ａの光軸は、屈折率異方性媒質２５５ａの蒸着によって、液晶分子
５１の光学的な異方性を補償するように、第１所定方向、いわゆる、第１蒸着方向に向か
って、第１基板１５０１ａと第１所定角度、所謂、第１蒸着角度で交わる。従って、第１
位相差板１５ａを構成する屈折率異方性媒質２５５ａが蒸着される第１蒸着方向及び第１
蒸着角度を調整することで、液晶パネル１５ｃの液晶分子５１の光学的な異方性を容易に
且つ高精度に補償することができる。
【００７５】
また、第２位相差板１５ｅの光軸は、屈折率異方性媒質２５５ｅの蒸着によって、液
晶分子５１の光学的な異方性を補償するように、第２所定方向、所謂、第２蒸着方向に向
かって、第２基板１５０１ｅと第２所定角度、所謂、第２蒸着角度で交わる。従って、第
２位相差板１５ｅを構成する屈折率異方性媒質２５５ｅが蒸着される第２蒸着方向及び第
２蒸着角度を調整することで、液晶パネルの液晶分子５１の光学的な異方性を容易に且つ
高精度に補償することができる。
【００７６】
そして、第１位相差板１５ａを構成する垂直蒸着膜１５０１ｃの光軸の短軸及び長軸
は、液晶分子５１の光学的な異方性を補償するように、基板１５０１ａに垂直蒸着してい
る。従って、第１位相差板１５ａを構成する垂直蒸着膜１５０１ｃの一軸性光軸の主屈折
率を調整することで、液晶パネル１５ｃの液晶分子５１の光学的な異方性を容易に且つ高
精度に補償することができる。
【００７７】
特に、上述した屈折率異方性媒質２５５ｃ、屈折率異方性媒質２５５ａ、及び屈折率
異方性媒質２５５ｅという３種類の屈折率異方性媒質が個別に夫々が、液晶分子の光学的
な異方性を補償することで、その補償の効果を顕著に向上させることができる。典型的に
は、上述した３つのパラメータ、即ち、屈折率異方性媒質２５５ｃにおける一軸性光軸の
主屈折率、屈折率異方性媒質２５５ａにおける第１蒸着方向及び第１蒸着角度、並びに、
屈折率異方性媒質２５５ｅにおける第２蒸着方向及び第２蒸着角度というより多くの物理
量を調整することで、液晶分子の光学的な異方性をより高精度に補償することができる。
【００７８】
また、液晶パネルの液晶分子５１の光学的な異方性を補償するために、第１位相差板
１５ａ及び第２位相差板１５ｅを傾斜させる必要が殆ど又は完全にないので、組み立て工
程において、第１位相差板１５ａ及び第２位相差板１５ｅを傾斜させる調整工程を省略す
ることができ、簡便且つ低コストに、液晶分子の光学的な異方性を補償し、コントラスト
を高めることができる。
【００７９】
図８は位相差板の表面の様子を模式的に示した要部拡大断面図である。
光学補償部を成す第１位相差板１５ａは、例えば透明なガラス基板等から構成された
第１基板１５０１と、第１基板１５０１上に形成された蒸着膜１５０３とを備えている。
蒸着膜１５０３は、第１基板１５０１に対して斜め方向Ｄから第１基板１５０１にＴａ２
Ｏ５等の無機物が蒸着されることによって第１基板１５０１上に形成されている。
【００８０】
ここで、蒸着膜１５０３は、微視的にみれば、無機物が斜め方向Ｄに沿って成長した
カラム構造が形成された部分を含む膜構造を有している。このような構造を有する無機膜
はその微細構造に起因して大なり小なり位相差が発生している。位相差板１５ａが備える
蒸着膜１５０３は、断面上、微視的には、第１基板１５０１において、無機物が斜方蒸着
される斜め方向Ｄに沿って延びる柱状部分１５０３ａｔを有している。
【００８１】
この第１位相差板１５ａに対して光源光の入射する入射角度、すなわち、極角度をθ
とすると、この極角度θは、第１位相差板１５ａの法線に対してなす角度である。そして
、第１位相差板１５ａに対して垂直に光を入射させたとき（θ＝０°）に測定された位相
差値を正面位相差値Ｒｅ（０）とし、法線に対して極角度θを変化させて光を入射したと
きに測定された位相差値をＲｅ（θ）とする。また、遅相軸に沿って位相差値を測定した
ときに、位相差が大きくなる側の位相差値を正（＋）とし、小さくなる側の位相差値を負
（−）とする。このとき、位相差比（角度）は以下の式（１）で表される。
位相差比［角度］＝Ｒｅ（−側の角度）／Ｒｅ（＋側の角度）…式（１）
すなわち、位相差比とは、位相差が大きくなる側の位相差値に対する位相差が小さく
なる側の位相差値の割合である。
【００８２】
本発明においては、光学補償部の正面位相差値Ｒｅ（０）が５以上２１以下であり、
かつ、位相差比Ｒｅ［３０］が１．５以上３．５以下であることが好ましい。
図９は、位相差板の正面位相差とコントラストとの間の定量的な相関関係を示したグ
ラフである。一般的に、コントラストが６０００程度〜７０００程度では高コントラスト
と言われるが、この図９に示すグラフによれば、コントラストが最も高くなるのは正面位
相差値Ｒｅ（０）が１２となっている。この正面位相差値Ｒｅ（０）が１２のときのコン
トラストを１００％とし、ここから８０％までの範囲内を高コントラストとすると、正面
位相差値Ｒｅ（０）が５以上２１以下であることが好ましいことが分かる。
【００８３】
プロジェクター１０のコントラストの調整は、光学補償部２８、例えば第１位相差板
１５ａを第１基板１５０１ａの一面に対する法線を中心とする軸回りに回転させるか、法
線方向に対して傾斜させる光学調整手段を更に備えているのが好ましい。
図１０は、正面位相差値Ｒｅ（０）と基板の法線回りの回転調整角（θ）との関係を
示すグラフである。これによれば、正面位相差値Ｒｅ（０）が大きくなるほど、回転調整
角（θ）が小さくなる。即ち、光学補償部２８を僅かに回転させるだけで、コントラスト
が大きく変化することを示している。
【００８４】
また、図１１は、正面位相差値Ｒｅ（０）＝２１、および正面位相差値Ｒｅ（０）＝
６の時の、回転調整角（θ）とコントラストとの関係を示すグラフ、表である。これによ
れば、正面位相差値Ｒｅ（０）が大きい（正面位相差値Ｒｅ（０）＝２１）場合は、位相
差板を僅かに回転させただけでコントラストが大きく変化することがわかる。また、正面
位相差値Ｒｅ（０）が小さい（正面位相差値Ｒｅ（０）＝６）場合は、位相差板の回転量
とコントラストの変化がより緩やかなむ関係となる。
【００８５】
このため、プロジェクター１０のコントラストの調整にあたって、小さい回転操作で
より鋭敏にコントラストを調整したい場合には、光学補償部の正面位相差値Ｒｅ（０）が
大きくなるように設計すればよく、逆にコントラストの微調整を容易にさせるならば、光
学補償部の正面位相差値Ｒｅ（０）が小さくなるように設計すればよい。
【００８６】
なお、上述した実施形態では、プロジェクター（電子機器）１０を構成する光学補償
部２８は、光の入射側から順に第１位相差板１５ａ、第２位相差板１５ｅの２枚の位相差
板で構成しているが、光学補償部２８はこれに限定されるものではない。例えば、光学補
償部を第１位相差板１５ａ、あるいは第２位相差板１５ｅだけから構成したり、第２位相
差板１５ｅを２枚設けたり、あるいは第２位相差板１５ｅを２枚と第１位相差板１５ａを
１枚など、任意の構成（組み合わせ）をとることができる。
【００８７】
例えば、第２位相差板１５ｅを２枚組み合わせる場合には、互いの遅相軸が直交する
ように配置すればよい。そして、一方の位相差板を回転させることによって、プロジェク
ターのコントラストを調整することができる。また、プロジェクターのコントラスト調整
は、光学補償部、例えば第１位相差板を成す基板の一面に対する法線を中心とする軸回り
にこの位相差板を回転させる代わりに、この法線方向に対して位相差板を傾斜させてコン
トラストを調整してもよい。
【００８８】
また、光学補償部には更に防塵ガラスを形成したり、あるいは、光学補償部を構成す
る位相差板自体を防塵ガラスと一体化させた構成も好ましい。これによって、外部のコン
タミネーションが反射型液晶装置の内部に入り込んで不具合を引き起こす等を確実に防止
することができる。
【符号の説明】
【００８９】
１５…液晶ライトバルブ（反射型液晶装置）、１５ａ…第１位相差板、１５ｃ…液晶
パネル、１５ｅ…第２位相差板、２８…光学補償部、３４…液晶層、５３…反射膜。
【図１】
2011180485.tif 000003
【図２】
2011180485.tif 000004
【図３】
2011180485.tif 000005
【図４】
2011180485.tif 000006
【図５】
2011180485.tif 000007
【図６】
2011180485.tif 000008
【図７】
2011180485.tif 000009
【図８】
2011180485.tif 000010
【図９】
2011180485.tif 000011
【図１０】
2011180485.tif 000012
【図１１】
2011180485.tif 000013